(57)【要約】【課題】天候の変化、太陽光パネルによる発電電力の変化、他の電力供給源の発停状態等の間の相互関係を時間軸で視覚的に表示する。【解決手段】発電量予測結果表示装置は、太陽光パネル（７４）の発電電力及び太陽光パネルの発電を補完する他の電力供給源（７５）からの電力の供給量を時系列で記憶する電力供給源情報と、太陽光パネルの上空の太陽及び雲の画像を時系列で記憶する画像情報とを格納する記憶部と、入力装置を介して、ある表示対象時点における画面を表示する指示を受け付けた際に、表示対象時点（９４）における太陽光パネルの発電電力（９５）と、表示対象時点における太陽光パネルの上空の太陽及び雲の画像（６１ａ）と、表示対象時点における太陽光パネルの発電電力及び他の電力供給源からの電力の供給量が負荷に対して流れて行く状態（７３、７８等）と、を併せて表示する画面（５１）を出力装置に表示させる。【選択図】図５
2014131384.tif 000002
【特許請求の範囲】
【請求項１】
太陽光パネルの発電電力及び前記太陽光パネルの発電を補完する他の電力供給源からの電力の供給量を時系列で記憶する電力供給源情報と、前記太陽光パネルの上空の太陽及び雲の画像を時系列で記憶する画像情報とを格納する記憶部と、
入力装置を介して、ある表示対象時点における画面を表示する指示を受け付けた際に、
前記表示対象時点における前記太陽光パネルの前記発電電力と、
前記表示対象時点における前記太陽光パネルの上空の太陽及び雲の画像と、
前記表示対象時点における前記太陽光パネルの発電電力及び前記他の電力供給源からの電力の供給量が負荷に対して流れて行く状態と、
を併せて表示する画面を出力装置に表示させる制御部と、
を備えること
を特徴とする発電量予測結果表示装置。
【請求項２】
前記太陽光パネルの発電電力及び他の電力供給源からの電力の供給量は、
過去の実績値及び将来の予測値を含み、
前記表示対象時点は、
過去及び将来の時点を含み、
前記将来の時点の前記雲の画像は、
前記過去の時点の前記雲の画像の位置に基づいて予測された位置にあること、
を特徴とする請求項１に記載の発電量予測結果表示装置。
【請求項３】
前記制御部は、
複数の前記表示対象時点における前記画面を連続して前記出力装置に表示させること、
を特徴とする請求項２に記載の発電量予測結果表示装置。
【請求項４】
前記他の電力供給源からの電力の供給量は、
蓄電池の放電電力であること、
を特徴とする請求項３に記載の発電量予測結果表示装置。
【請求項５】
前記制御部は、
前記電力供給源情報を参照して、前記太陽光パネルの発電電力が急変する時点を特定し、
前記特定した時点を前記表示対象時点とすること、
を特徴とする請求項４に記載の発電量予測結果表示装置。
【請求項６】
前記制御部は、
前記表示対象時点を基準として所定の閾値だけ先の時点に達するまでに、前記太陽光パネルの発電電力が降下し前記蓄電池が放電する状態になることを認識した場合、前記蓄電池の起動をユーザに促すメッセージを前記出力装置に表示させること、
を特徴とする請求項５に記載の発電量予測結果表示装置。
【請求項７】
記憶部は、
太陽光パネルの発電電力及び前記太陽光パネルの発電を補完する他の電力供給源からの電力の供給量を時系列で記憶する電力供給源情報と、前記太陽光パネルの上空の太陽及び雲の画像を時系列で記憶する画像情報とを格納しており、
制御部は、
入力装置を介して、ある表示対象時点における画面を表示する指示を受け付けた際に、
前記表示対象時点における前記太陽光パネルの前記発電電力と、
前記表示対象時点における前記太陽光パネルの上空の太陽及び雲の画像と、
前記表示対象時点における前記太陽光パネルの発電電力及び前記他の電力供給源からの電力の供給量が負荷に対して流れて行く状態と、
を併せて表示する画面を出力装置に表示させること、
を特徴とする、前記記憶部及び前記制御部を備える発電量予測結果表示装置の発電量予測結果表示方法。
【請求項８】
発電量予測結果表示装置の記憶部に対し、
太陽光パネルの発電電力及び前記太陽光パネルの発電を補完する他の電力供給源からの電力の供給量を時系列で記憶する電力供給源情報と、前記太陽光パネルの上空の太陽及び雲の画像を時系列で記憶する画像情報とを格納させ、
前記発電量予測結果表示装置の制御部に対し、
入力装置を介して、ある表示対象時点における画面を表示する指示を受け付けた際に、
前記表示対象時点における前記太陽光パネルの前記発電電力と、
前記表示対象時点における前記太陽光パネルの上空の太陽及び雲の画像と、
前記表示対象時点における前記太陽光パネルの発電電力及び前記他の電力供給源からの電力の供給量が負荷に対して流れて行く状態と、
を併せて表示する画面を出力装置に表示させる処理を実行させること、
を特徴とする、前記発電量予測結果表示装置を機能させる発電量予測結果表示プログラム。
【発明の詳細な説明】
【技術分野】
【０００１】
本発明は、特に太陽光パネルを含む電力供給源の制御に適した、発電量予測結果表示装置、発電量予測結果表示方法及び発電量予測結果表示プログラムに関する。
【背景技術】
【０００２】
近時、電力消費者である企業等が、太陽光発電を積極的に行っている。太陽光発電においては、太陽光パネルが太陽の光エネルギーを直接電力に変換する。例えば化石燃料を使用する従来型の火力発電と比較すると、太陽光発電は、希少資源の保全、環境保全等の点でより優れる。しかしながら、太陽光発電においては、発電電力が天候等に左右され、その天候を人間が制御することは困難である。結果として、太陽光発電の発電電力は不安定にならざるを得ない。つまり、電力の安定供給を必要とする負荷に対する電力供給源として、太陽光パネルだけに頼ることは非現実的である。一般的に企業は、太陽光パネル以外の電力供給源として、電力会社からの商用電源（電力系統）、太陽光パネル以外の自家発電設備、蓄電池等を確保している。そして、太陽光パネルだけでは発電電力が不足する部分を、他の電力供給源からの電力によって補うような制御を行う。このような企業にとって、太陽光パネルによる発電電力を予測することは非常に重要である。
【０００３】
特許文献１の太陽光発電システムは、カメラによって取得された全天の画像から雲の分布と動きを検出し、検出した雲の分布と動きに基づいて将来時点における雲の分布と動きを予測する。そして、予測した将来時点における雲の分布と動きに基づいて、将来時点における太陽光パネルの発電電力を予測する。特許文献２の発電量予測装置は、第１の太陽光発電システムの設置条件及び発電電力に基づき、第１の太陽光発電システムの日射量を算出する。そして、第２の太陽光発電システムの設置条件及び算出した第１の太陽光発電システムの日射量に基づき、第２の太陽光発電システムの発電電力を算出する。
【先行技術文献】
【特許文献】
【０００４】
【特許文献１】特開２００７−１８４３５４号公報（請求項１等）
【特許文献２】特開２００４−４７８７５号公報（請求項１等）
【発明の概要】
【発明が解決しようとする課題】
【０００５】
企業は、太陽光パネルの発電電力の予測結果に基づいて、太陽光パネル以外の電力供給源の制御を、正確かつ充分な時間的余裕を以って行いたい。そのためには、電力供給源を制御しようとするユーザが、天候の変化、太陽光パネルによる発電電力の変化、他の電力供給源の発停状態等の間の相互関係を、時間軸で充分リアルに理解する必要がある。
しかしながら、特許文献１及び２の技術は、太陽光パネルの発電電力を予測することそのものに力点を置き、予測結果をユーザに理解させることには力点が置かれていない。
そこで、本発明は、天候の変化、太陽光パネルによる発電電力の変化、他の電力供給源の発停状態等の間の相互関係を時間軸で視覚的に表示することを目的とする。
【課題を解決するための手段】
【０００６】
本発明の発電量予測結果表示装置は、太陽光パネルの発電電力及び太陽光パネルの発電を補完する他の電力供給源からの電力の供給量を時系列で記憶する電力供給源情報と、太陽光パネルの上空の太陽及び雲の画像を時系列で記憶する画像情報とを格納する記憶部と、入力装置を介して、ある表示対象時点における画面を表示する指示を受け付けた際に、表示対象時点における太陽光パネルの発電電力と、表示対象時点における太陽光パネルの上空の太陽及び雲の画像と、表示対象時点における太陽光パネルの発電電力及び他の電力供給源からの電力の供給量が負荷に対して流れて行く状態と、を併せて表示する画面を出力装置に表示させる。
その他の手段については、発明を実施するための形態のなかで説明する。
【発明の効果】
【０００７】
本発明によれば、天候の変化、太陽光パネルによる発電電力の変化、他の電力供給源の発停状態等の間の相互関係を時間軸で視覚的に表示することが可能になる。
【図面の簡単な説明】
【０００８】
【図１】発電量予測結果表示装置の構成及び他の装置との関連を示す図である。
【図２】（ａ）は、発電量予測装置が画像作成装置から受け取る空画像の例であり、（ｂ）は、空画像のハレーションを太陽に置き換える方法を説明する図であり、（ｃ）は、雲の位置の予測方法を説明する図である。
【図３】（ａ）は、隠蔽率を説明する図であり、（ｂ）は、雲濃度を説明する図であり、（ｃ）は、低下率マトリクスの一例を示す図である。
【図４】電力供給源情報の一例を示す図である。
【図５】太陽光発電量予測画面（レビューモード）の一例を示す図である。
【図６】太陽光発電量予測画面（レビューモード）の一例を示す図である。
【図７】太陽光発電量予測画面（レビューモード）の一例を示す図である。
【図８】太陽光発電量予測画面（レビューモード）の一例を示す図である。
【図９】太陽光発電量予測画面（シミュレーションモード）の一例を示す図である。
【図１０】太陽光発電量予測画面（シミュレーションモード）の一例を示す図である。
【図１１】太陽光発電量予測画面（シミュレーションモード）の一例を示す図である。
【図１２】（ａ）は、空画像の一例を示す図であり、（ｂ）は、太陽光パネルの画像を示す図であり、（ｃ）は、航空写真の一例を示す図である。
【図１３】処理手順のフローチャートの一例を示す図である。
【図１４】太陽光発電量予測画面の表示領域の一部の他の例である。
【発明を実施するための形態】
【０００９】
以降、本発明を実施するための形態（「本実施形態」という）を、図等を参照しながら詳細に説明する。
【００１０】
（本実施形態の前提等）
本実施形態の電力量予測結果表示装置を使用するユーザは、太陽光パネルを含む複数の異種の電力供給源からの電力を使用して、自家用の負荷を稼動している。いま、説明の分かり易さのために、図１〜４を後回しにして、図５の太陽光発電量予測画面５１の表示領域７１を参照する。生産拠点７６には電力を消費する負荷（例えば、工作機械、大型コンピュータ等）が格納されている。負荷に対して電力を供給する電力供給源は、図５の例では３つ存在する。それらは、太陽光パネル７４、蓄電池７５及び電力会社７７（「電力系統」とも呼ぶ）である。なお、図５等では図示していないが、電力供給源として、ガスタービン発電機７５ｂがあってもかまわない（図１４において、図５等の表示領域７１部分を拡大して記載した）。
【００１１】
太陽が雲に隠れていない状態（符号７２）においては、太陽光パネル７４が、負荷が必要とする電力を単独で供給することができる。図５では、電力フローバー７３、そのなかで点滅する三角形の電力フローサイン７８、及び、充放電サイン７９ａ、７９ｂが、以下のことを示している。
・太陽光パネル７４が発電した電力は、生産拠点７６に供給される。
・太陽光パネル７４が発電した電力の一部は、蓄電池７５に供給（充電）される。
・電力会社７７からの電力供給は停止されている。
【００１２】
次に、図５との比較として、図７の太陽光発電量予測画面５１の表示領域７１を参照する。太陽が雲に隠れている状態（符号７２）においては、太陽光パネル７４が、負荷が必要とする電力を単独で供給することができない。図７では、電力フローバー７３、電力フローサイン７８、及び、充放電サイン７９ａ、７９ｂが、以下のことを示している。
・太陽光パネル７４が発電した電力は、すべて生産拠点７６に供給される。
・太陽光パネル７４が発電した電力は、蓄電池７５に供給（充電）されない。
・蓄電池７５は、生産拠点７６に電力を供給（放電）している。
・電力会社７７からの電力供給は停止されている。
【００１３】
ユーザは、天候の変化を予測しつつ、複数の電力供給源の発停制御を行う。そのためのボタンが、太陽光発電量予測画面５１（図５等）の領域１２１に表示されている。通常時は、複数の電力供給源の発停は自動制御されている。自動制御されている間は、自動制御ボタン兼ランプ１２５が点灯している。そして、ユーザは必要時に手動制御を行う。すなわち、詳細は後記するが、ユーザは、どの時点で、どのような濃度の雲が太陽をどれだけ隠し、その結果太陽光パネル７４の発電電力がどの程度低下するかを見極める。そして、ユーザは、蓄電池７５の放電が必要であると判断すれば、蓄電池制御切替・放電ボタン１２３ｂを押下する。この時点で自動制御ボタン兼ランプ１２５は消灯する。ユーザは、その後放電の必要がなくなったと判断すれば、蓄電池制御切替・充電ボタン１２３ａを押下する。ユーザは、自動制御に戻してもよいと判断すれば、自動制御ボタン兼ランプ１２５を再度押下する。すると、自動制御ボタン兼ランプ１２５は再度点灯する。
【００１４】
ユーザは、蓄電池７５の放電に替えて又は追加してガスタービン発電機７５ｂを稼動させることが必要であると判断すれば、ガスタービン発電・ＯＮボタン１２４ａを押下し、その必要がなくなれば、ガスタービン発電・ＯＦＦボタン１２４ｂを押下する。太陽光パネル７４又は蓄電池７５に障害が発生し、その影響を電力系統に波及させたくない場合、緊急系統切断・ＯＮボタン１２２を押下して、電力系統を自家設備から遮断する。落雷、地震等の自然災害によって、電力会社７７の発電設備、送電設備又は受変電設備等が損傷を受ける蓋然性が生じた場合も、ユーザは、緊急系統切断・ＯＮボタン１２２を押下し、負荷を保護することができる。このような臨機応変の制御を行うことは、特に経験の浅いユーザにとっては、決して容易ではない。経験の豊かなユーザにとっても、将来起こりうる事象を正しく理解することができれば、次の段階を見越した的確な予防的制御を行うことが可能になる。
【００１５】
（発電量予測結果表示装置等）
図１に沿って、発電量予測結果表示装置１及びそれに関連する他の装置等を説明する。発電量予測結果表示装置１は、発電量予測装置２に接続されている。発電量予測装置２、画像作成装置３及び電力制御装置５は、ネットワーク８を通じて相互に接続されている。電力制御装置５は、太陽光パネル４（図５等では符号７４）、蓄電池６（図５等では符号７５）、電力系統７（図５等では符号７７及びガスタービン発電機７５ｂ）と接続されている。
【００１６】
画像作成装置３は、太陽光パネル４の近辺に設置され、カメラ３ａ及び通信装置３ｂを有する。カメラ３ａは、所定の複数の時点において（例えば５秒周期で）、太陽光パネル４の上空の画像を取得する。カメラ３ａは、太陽及び周辺の雲の画像を取得できる程度に画角が広いレンズ（魚眼レンズ、広角レンズ）を有している。通信装置３ｂは、カメラ３ａが取得した画像を時刻情報とともに、発電量予測装置２に送信する。電力制御装置５は、所定の複数の時点において（例えば５秒周期で）、太陽光パネル４の発電電力、蓄電池６の充電電力・放電電力、電力系統７からの受電電力、ガスタービン発電機の発電電力等を取得し、時刻情報とともに、発電量予測装置２に送信する。カメラ３ａが画像を取得する時点と、電力制御装置５が発電電力等を取得する時点とは、一致していることが望ましい。さらに、電力制御装置５は、太陽光パネル４の発電電力を太陽光パネル４の受光面積で除算した値を日射量として算出する。
発電量予測装置２は、画像作成装置３及び電力制御装置５から受信した情報に基づいて、将来の太陽光パネル４の発電電力を予測する。
【００１７】
発電量予測結果表示装置１は、一般的なコンピュータであり、中央制御装置１１、キーボード、マウス等の入力装置１２、ディスプレイ等の出力装置１３、主記憶装置１４、補助記憶装置１５及び通信装置１６を有する。これらはバスによって相互に接続されている。補助記憶装置１５は、電力供給源情報３１（詳細後記）を記憶している。主記憶装置１４における、発電量予測結果表示部２１、画像解析結果表示部２２及び電力供給源制御表示部２３はプログラムである。以降、「○○部は」と主体を記した場合は、中央制御装置１１が、補助記憶装置１５から各プログラムを読み出し、主記憶装置１４にロードしたうえで、各プログラムの機能（詳細後記）を実現するものとする。
【００１８】
（発電電力の予測）
本発明は、発電量予測装置２によって予測された太陽光パネル４の発電電力の予測結果が所与であることを前提として、発電量予測結果表示装置１がどのように予測結果を表示するかに関するものである。しかしながら、本発明の理解を容易にするために、まず、発電電力の予測方法を説明する。
【００１９】
図２（ａ）は、発電量予測装置２が画像作成装置３から受け取る空画像４１の例である。
まず、カメラ３ａは、所定の複数の時点において（例えば５秒周期で）、太陽及びその周辺の雲の画像を取得する。快晴の場合を除いて、空画像４１は雲４２ｂの画像を有している。しかしながら、太陽の明度は極端に高く、空画像４１においては、ハレーション４２ａとして現れる（太陽の輪郭は現れないことが多い）。発電量予測装置２は、所定の閾値以上の明度を有する箇所をハレーション４２ａとして特定し、特定したハレーションを含む所定の大きさの領域４３を空画像４１から切り取る。発電量予測装置２は、このような処理を各時点の空画像４１について実行する。
【００２０】
図２（ｂ）は、発電量予測装置２がハレーション４２ａを太陽４４に置き換える方法を説明する図である。
次に、発電量予測装置２は、切り取った領域４３のハレーションの重心部分を中心とし、所定の半径を有する円（太陽４４）によってハレーションを置換する。発電量予測装置２は、このような処理を各時点の領域４３について実行する。
【００２１】
図２（ｃ）は、発電量予測装置２が移動ベクトルを取得する方法を説明する図である。
次に、発電量予測装置２は、連続する２つの時点ｎ−１及びｎについての切り取った領域４３同士を比較する。具体的には、発電量予測装置２は、時点ｎの雲４２ｂの任意の小領域４５ａを取得し、時点ｎ−１の雲４２ｂのうちから、取得した小領域４５ａと形状が一致する又は類似する小領域４５ｂを探し出す。そして、小領域４５ｂ内のある点を起点とし、小領域４５ａ内の対応する点を終点とする移動ベクトル４６を定義する。発電量予測装置２は、この移動ベクトル４６の向きから、雲４２ｂの画像上における移動方向を取得することができる。さらに、時点ｎ−１と時点ｎとの間の時間間隔と移動ベクトル４６の長さから、雲４２ｂの画像上における移動速度を取得することができる。発電量予測装置２は、このようにして取得した雲４２ｂの移動方向及び移動速度に基づいて、現時点を時点ｎとした場合の任意の将来時点における雲４２ｂの画面上の位置を特定できる。
【００２２】
図３（ａ）は、発電量予測装置２が隠蔽率を取得する方法を説明する図である。
隠蔽率とは、太陽４４と雲４２ｂとが重複する部分の画素数を、太陽４４全体の画素数で除算した百分率（％）である。つまり、図３（ａ）において、右図の領域４４ｂ（網掛け部分）の画素数を、左図の領域４４ａ及び領域４４ｂ（網掛け部分）の画素数で除算した百分率である。発電量予測装置２は、この隠蔽率と（直ちに後記する）雲濃度とに基づいて、低下率（詳細後記）を取得する。
【００２３】
図３（ｂ）は、発電量予測装置２が雲濃度を取得する方法を説明する図である。
まず、発電量予測装置２は、雲４２ｂの「グレースケール」を算出する。空画像４１（図２（ａ））は、もともとカラー画像である。雲４２ｂを表示する画素は、Ｒ（赤）、Ｇ（緑）及びＢ（青）の３つの画素値を有している。これらの画素値は、８ビットで表現される場合、０〜２５５の範囲のいずれかである。これら３つの画素値を単純平均し、又は、所定の重みを乗じた上で平均して、１つの画素値にしたものがグレースケールである。
【００２４】
発電量予測装置２は、太陽を隠している雲４２ｂのグレースケールを算出し、算出したグレースケールを図３（ｂ）の数直線４７に当てはめて、雲濃度を取得する。数直線４７は、所定の複数の閾値（「１７９」、「１９２」、・・・）によって複数の部分に区分される。例えば、太陽を隠している雲４２ｂのグレースケールが「２３２」であった場合、当該太陽を隠している雲４２ｂの雲濃度は「１」となる。雲濃度は、明るい方から順に、「１」、「２」、・・・、「５」である。なお、ユーザは、閾値の数及び閾値の数値そのものを任意に設定することができる。
【００２５】
図３（ｃ）は、低下率マトリクス４８の一例である。
低下率とは、ある隠蔽率かつある雲濃度における発電電力が、隠蔽率が０％である場合の発電電力を基準にしてどの程度低下するかを示す数値である。例えば、低下率１０％とは、雲が全く太陽を隠していない場合の発電電力を「１００」とした場合、その隠蔽率かつその雲濃度における発電電力が「９０」にまで低下することを意味する。図３（ｃ）の低下率マトリクス４８の縦軸は隠蔽率であり、横軸は雲濃度である。縦軸と横軸との交点のセルに、その隠蔽率かつその雲濃度における低下率が記憶されている。つまり、隠蔽率と雲濃度の組合せに関連付けて低下率が記憶されている。当然のことながら、低下率は、太陽光パネル４の設置条件（設置場所、受光面の法線ベクトルの方角、受光面が地面となす角度等）、太陽パネル４の性能等によっても変わってくる。ここでは、発電電力を予測する対象である特定の太陽光パネル４の設置条件及び性能についての低下率が記憶されているものとする。
【００２６】
発電量予測装置２は、移動ベクトル４６を用いて、ある将来時点の雲の画面上の位置を算出し、算出した雲の画面上の位置に基づき、隠蔽率を算出する。なお、雲濃度については、現在の雲濃度が将来の時点まで維持されると仮定する。そして、発電量予測装置２は、算出した隠蔽率及び仮定した雲濃度を低下率マトリクス４８に当てはめて、その将来時点の低下率を算出する。
【００２７】
図４に沿って、電力供給源情報３１を説明する。電力供給源情報３１を作成するのは、発電量予測装置２である。そして、発電量予測結果表示装置１は、この電力供給源情報３１に基づいて、太陽光発電量予測画面５１（図５等）を表示する。電力供給源情報３１においては、日時欄３１ａの日時に関連付けて、発電電力欄３１ｂには発電電力が、日射量欄３１ｃには日射量が、隠蔽率欄３１ｄには隠蔽率が、雲濃度欄３１ｅには雲濃度が、低下率欄３１ｆには低下率が、充放電電力欄３１ｇには充放電電力が、制御欄３１ｈには制御フラグが、空画像欄３１ｉには空画像が記憶されている。
【００２８】
日時欄３１ａの日時は、空画像４１が取得された時点の年月日時分秒、又は、発電電力を予測する将来時点の年月日時分秒である。
発電電力欄３１ｂの発電電力は、太陽光パネル４の発電電力（単位Ｗ）である。
日射量欄３１ｃの日射量は、前記したように、太陽光パネル４の発電電力を太陽光パネル４の受光面積で除算した値（単位Ｗ／平方メートル）である。
隠蔽率欄３１ｄの隠蔽率は、前記した隠蔽率である。
雲濃度欄３１ｅの雲濃度は、前記した雲濃度である。隠蔽率が０.０％であるレコード（太陽を隠している雲が存在しないレコード）の雲濃度欄３１ｅは「−」である。
低下率欄３１ｆの低下率は、前記した低下率である。
【００２９】
充放電電力欄３１ｇの充放電電力（単位Ｗ）は、蓄電池６に対して充電される充電電力（負の値）又は蓄電池６から放電される放電電力（正の値）である。
制御欄の制御フラグは、充放電電力が負の値であることを示す「充電」又は充放電電力が正の値であることを示す「放電」のいずれかである。
空画像欄３１ｉの空画像は、空画像の識別子である。空画像そのものは、画像作成装置３が取得する。そして、その空画像そのものを、発電量予測結果表示装置１が、ネットワーク８経由かつ発電量予測装置２経由で受け取る。さらに、発電量予測結果表示装置１は、空画像そのものを補助記憶装置１５内に又は（図示しない）別筐体内に記憶しておく。なお、電力供給源情報３１は、蓄電池７５（図５）の蓄電残量（単位Ｗｈ）を記憶する欄を有していてもよい。
【００３０】
「太陽光パネルの発電を補完する他の電力供給源からの電力の供給量」は、図４における放電電力に相当する。電力供給源情報３１は、「太陽光パネルの発電を補完する他の電力供給源からの電力の供給量」の他の例として、ガスタービン発電機の発電電力、電力会社からの受電電力等を記憶していてもよい。
【００３１】
電力供給源情報３１（図４）のレコードは、実績レコード及び予測レコードからなる。実績レコードの各欄の値は、もともと電力制御装置５が太陽光パネル４及び蓄電池６から取得した実際の値である。実績レコードの空画像欄３１ｉの空画像は、カメラ３ａが取得した自然画像の識別子である。一方、予測レコードの各欄の値は、発電量予測装置２が予測した値である。実績レコードの空画像欄３１ｉの空画像は、発電量予測装置２が加工したいわゆるＣＧ（Computer Graphic）画像の識別子である。なお、日時欄３１ａの日時については、実績レコードの間隔（周期）が、予測レコードの間隔（周期）と一致している必要はない。
【００３２】
内容が一部重複するが、発電量予測装置２がどのようにして予測レコードを作成するかを再度説明する。
（１）日時については、ユーザが指定した予測時点を日時欄３１ａに記憶する。図４の例では、ユーザは、「現在から５秒ごとに合計１２回（すなわち１分間）」を指定している。したがって、発電量予測装置２は、予測レコードを１２行作成し、各予測レコードの日時欄３１ａに現時点の５秒後、１０秒後、１５秒後、・・・、６０秒後の日時を上から順に記憶している。
（２）雲濃度については、発電量予測装置２は、各予測レコードの日時において、太陽を隠すことが予想される雲が存在する場合は、その雲濃度をそのレコードの雲濃度欄３１ｅに記憶する。
【００３３】
（３）前記した方法で、各予測レコードの日時における雲の位置を予測し、予測した雲の位置に基づいて、隠蔽率を算出し隠蔽率欄３１ｄに記憶する。
【００３４】
（４）各予測レコードについて、隠蔽率及び雲濃度を低下率マトリックス４８（図３（ｃ））に当てはめて低下率を取得し低下率欄３１ｆに記憶する。
（５）各予測レコードについて、基準となる発電電力（隠蔽率０％の発電電力）に低下率を乗算して発電電力を算出し発電電力欄３１ｂに記憶する。
（６）各予測レコードについて、算出した発電電力を太陽光パネル４の受光面積で除算した値を日射量として日射量欄３１ｃに記憶する。
【００３５】
（７）各予測レコードについて、負荷が必要とする電力の値から発電電力を減算した値を充放電電力として、充放電電力欄３１ｇに記憶する。本実施形態では、説明の単純化のため、負荷は常に一定レベルの電力（48000Ｗ）を必要とするものとする。したがって、減算した結果の充放電電力が負の値である場合は、発電電力が、負荷が必要とする電力よりも大きく、余剰分を蓄電池６に充電している状態であることがわかる。逆に、減算した結果の充放電電力が正の値である場合は、発電電力が、負荷が必要とする電力よりも小さく、蓄電池６が不足分を放電している状態であることがわかる。なお、このような、発電電力、負荷が必要とする電力及び蓄電池６の放電電力の相互関係については、図９〜図１１の表示領域９１に記載されている。すなわち、発電電力（符号９５）と蓄電池放電電力（符号９８）の和が、負荷が必要とする電力の値（符号９９）となっている（詳細後記）。
【００３６】
（８）各予測レコードについて、充放電電力の正負の符号に基づいて、制御フラグを決定し制御欄３１ｈに記憶する。
（９）各予測レコードについて、空画像（ＣＧ画像である）を作成しその識別子を空画像欄３１ｉに記憶する。発電量予測装置２は、例えば、最新の実績レコードの空画像「aaad.jpg」を取得し、前記した移動ベクトルに沿って、雲が各予測レコードに存在すると予測される位置に、当該雲の画像を貼り付ける。
なお、図４に記載された値は、例えば図５〜１１の表示領域９１のグラフの数値等と完全に整合していない（説明の単純化及び図面作成上の誤差のため）。
【００３７】
予測レコードを再度参照すると、「20121201：13：40：05」から「20121201：13：40：45」までの予測結果はおよそ以下の通りである。
・「20121201：13：40：20」以前は、太陽を隠す雲は存在しない。発電電力の一部が蓄電池に充電されている。
・「20121201：13：40：25」から「20121201：13：40：35」にかけて、雲濃度が「２」である雲が太陽を隠す。「20121201：13：40：30」において、隠蔽率は、ピークである「９０．０」（％）に達する。この間、発電電力は低下し、蓄電池は放電している。
・その後、太陽を隠す雲は存在しない状態に一旦もどる。発電電力が回復し、蓄電池は再び充電される。
・「20121201：13：40：45」において、雲濃度が「３」である別の雲が太陽を隠している。この時点での隠蔽率は「３０．０」（％）である。発電電力は再び低下し、蓄電池は放電している。
【００３８】
（太陽光発電量予測画面）
図５〜図１１に沿って、太陽光発電量予測画面５１を説明する。図５〜図１１のそれぞれの太陽光発電量予測画面５１は同じものである。ただし、図５〜図８は、実績レコードに基づいて過去の発電電力、雲の動き及び蓄電池の状態等を対照して表示する「レビューモード」に対応している。一方、図９〜図１１は、予測レコードに基づいて将来の発電電力、雲の動き及び蓄電池の状態等を対照して表示する「シミュレーションモード」に対応している。
【００３９】
図５を参照すると、太陽光発電量予測画面５１は、７つの表示領域６１、７１、８１、９１、１０１、１１１及び１２１を有する。
表示領域６１において、画像解析結果表示部２２（図１）は、通常空画像６１ａ（図１２（ａ）も参照）を表示する。しかしながら、ユーザの選択に応じて、太陽光パネルの画像６１ｂ（図１２（ｂ）も参照）及び航空写真６１ｃ（図１２（ｃ）も参照）を表示することもできる。空画像６１ａは、ハレーション６３、雲６４、表示対象時点６５、移動ベクトル６６を有する。ユーザは、太陽６２を視認することはできない（ハレーション６３にかき消されている）が、太陽の位置に円形に画像が模擬的に貼り付けられてもよい。太陽光パネルの画像６１ｂ及び航空写真６１ｃは、ユーザに太陽光パネル７４が存在する場所を示すものであって、本実施形態の発明の理解を助けるものである。
【００４０】
表示領域７１において、電力供給源制御表示部２３（図１）は、天候（アイコン）７２、電力フローバー７３、太陽光パネル（アイコン）７４、蓄電池（アイコン）７５、生産拠点（アイコン）７６、電力会社（アイコン）７７、電力フローサイン７８及び充放電サイン７９ａ、７９ｂを表示する。天候７２は、表示対象時点における隠蔽率に応じて、雲が太陽を隠す様子を模擬的に表現する。図５の天候アイコン７２は、隠蔽率が低い時点のものであり、比較例として、図７の天候アイコン７２は、隠蔽率が高い時点のものである。
【００４１】
電力フローバー７３及び電力フローサイン７８は、太陽光パネル７４、蓄電池７５、生産拠点７６及び電力会社７７の間で、どのように電力が流れているかを示す。図５においては、太陽光パネル７４から、蓄電池７５及び生産拠点７６の双方に対して電力が流れている。図７においては、太陽光パネル７４及び蓄電池７５の双方から、生産拠点７６に対して電力が流れている。ただし、図７において太陽光パネル７４から流れる電力フローサイン７８は、図５において太陽光パネル７４から流れる電力フローサイン７８よりも、線が細くなっている。このことは、図７において、太陽光パネル７４の発電電力が低下していることを示す。
【００４２】
充放電サイン７９ａ、７９ｂは、いずれか一方が強調表示されることによって、蓄電池７５が充電されているか、それとも、放電しているかを示す。図５においては充放電サイン７９ａが強調表示されている。このことは、蓄電池７５に電力が充電されていることを示す。図７においては充放電サイン７９ｂが強調表示されている。このことは、蓄電池７５が電力を放電していることを示す。
さらに、電力供給源制御表示部２３（図１）は、蓄電池の蓄電残量に応じて、蓄電池７５にその残量を示す図形（高さが変化する長方形等）を表示してもよい。この場合、前記したように、補助記憶装置１５は、電力制御装置５が取得する蓄電池の蓄電残量を日時に関連付けて記憶しておくものとする。
表示領域８１の説明は後記する。
【００４３】
表示領域９１において、発電量予測結果表示部２１（図１）は、グラフ９５を表示する。グラフ９５の横軸は、時刻である。グラフ９５の縦軸は、発電電力（左目盛）又は日射量（右目盛）である。グラフ９５自身は、太陽光パネル７４の発電電力、日射量及び蓄電池７５の放電電力のうちの少なくとも１つを時系列で表す。図５の例では、グラフ９５は、太陽光パネル７４の発電電力のみを表している。このことは、後記するチェックボックス１１３ａのみにチェックマークが入力されていることに対応している。日射量、放電電力を表すときは、グラフ９５は、線種、色、太さ等で区別がつく。ちなみに、グラフ９５が示す発電電力は、ある時点で急変している（符号９６）。このような時点前後の、発電電力と空画像、充放電の状態等を分かり易く表示するのが、本実施形態の目的である。当然のことながら、グラフ９５は、時系列で表示されるものであれば、他のタイプ（棒グラフ等）であってもよい。
【００４４】
さらに、表示領域９１において、発電量予測結果表示部２１は、実績予測区分マーク９２、表示対象時点バー９３及び表示対象時点９４も表示する。実績予測区分マーク９２が、図５のように、「＜＜実績＞＞」となっている場合、グラフ９５は、過去の実績を表している（図４の実績レコードに対応する）。一方、実績予測区分マーク９２が、図９のように、「＜＜実績←・→予測＞＞」となっている場合、グラフ９５は、ある時点より前については過去の実績値を表し（図４の実績レコードに対応する）、ある時点以降については予測値を表している（図４の予測レコードに対応する）。例えば、図９においては、その「ある時点」とは、実績予測区別バー９７が示す時点（ｔ０）である。
表示対象時点バー９３が示す時点及び表示対象時点９４は、表示領域６１の表示対象時点６５と同じ日時である。ちなみに、表示領域７１に表示される情報も、当該表示対象時点９４におけるものである。
【００４５】
表示領域１０１において、発電量予測結果表示部２１は、１分間表示ボタン１０２、拡大ボタン１０３、縮小ボタン１０４及び８時間表示ボタン１０５を表示する。ユーザが８時間ボタン１０５を押下すると、発電量予測結果表示部２１は、表示領域９１において、８時間分のグラフ９５を表示する。ユーザが１分間ボタン１０２を押下すると、発電量予測結果表示部２１は、表示領域９１において、１分間分のグラフ９５を表示する。当然のことながら、「１分間」及び「８時間」は例であり、ユーザは他の値も設定することができる。ユーザが拡大ボタン１０３を押下すると、発電量予測結果表示部２１は、表示領域９１を拡大して、太陽光発電量予測画面５１の全面（又は一部）に表示する。ユーザが縮小ボタン１０４を押下すると、発電量予測結果表示部２１は、表示領域９１をもとの大きさ及びもとの表示位置に戻す。
【００４６】
表示領域１１１において、発電量予測結果表示部２１は、日射量チェックボックス１１２ａ、太陽光パネル発電電力チェックボックス１１３a、蓄電池放電電力チェックボックス１１４ａ、日射量表示窓１１２ｂ、太陽光パネル発電電力表示窓１１３ｂ及び蓄電池放電電力表示窓１１４ｂを表示する。ユーザが、チェックボックス１１２ａ、１１３ｂ及び１１４ｂのうちの少なくとも１つにチェックマークを入力すると、発電量予測結果表示部２１は、入力されたチェックマークに対応する量についての１つ又は複数のグラフ９５を表示領域９１に表示する。そして、発電量予測結果表示部２１は、日射量表示窓１１２ｂ、太陽光パネル発電電力表示窓１１３ｂ及び蓄電池放電電力表示窓１１４ｂのうちの少なくとも１つに、入力されたチェックマークに対応する量そのものを表示する。
【００４７】
表示領域１２１において、発電量予測結果表示部２１は、緊急系統切断・ＯＮボタン１２２、蓄電池制御切替・充電ボタン１２３ａ、蓄電池制御切替・放電ボタン１２３ｂ、ガスタービン発電・ＯＮボタン１２４ａ、ガスタービン発電・ＯＦＦボタン１２４ｂ及び自動制御ボタン兼ランプ１２５を表示する。ユーザがこれらのボタンを押下するのを受け付けると、電力供給源制御表示部２３は、それぞれ、電力系統切断、蓄電池充電開始、蓄電池放電開始、ガスタービン発電開始、ガスタービン発電停止及び自動制御再開の信号を生成する。そして、生成した信号を、発電量予測装置２及びネットワーク８を経由して（又は発電量予測装置２を経由せずにネットワーク８を経由して）、電力制御装置５に送信する。電力制御装置５は、受信した信号に基づいて、例えば、蓄電池６（７５）に対して放電開始の指示を送信する。
【００４８】
表示領域８１において、電力供給源制御表示部２３は、左急変ポイントボタン８２、コマ戻しボタン８３、再生ボタン８４、コマ送りボタン８５、右急変ポイントボタン８６及びシミュレーションボタン８７を表示する。
ユーザがコマ送りボタン８５を押下すると、画像解析結果表示部２２は、表示領域６１において直後の時点の空画像６１ａを表示する。同様に、発電量予測結果表示部２１は、表示領域９１において直後の時点に表示対象時点バー９３を（右に）移動し、電力供給源制御表示部２３は、表示領域７１において直後の時点についての天候７２、電力フローサイン７８等を表示する。
【００４９】
ユーザがコマ戻しボタン８３を押下すると、画像解析結果表示部２２は、表示領域６１において直前の時点の空画像６１ａを表示する。同様に、発電量予測結果表示部２１は、表示領域９１において直前の時点に表示対象時点バー９３を（左に）移動し、電力供給源制御表示部２３は、表示領域７１において直前の時点についての天候７２、電力フローサイン７８等を表示する。
【００５０】
ユーザが再生ボタン８４を押下すると、画像解析結果表示部２２は、表示領域６１において以降の複数の時点の空画像６１ａを順次に連続表示する。同様に、発電量予測結果表示部２１は、表示領域９１において以降の複数の時点に、表示対象時点バー９３を順次に（右に）移動し、電力供給源制御表示部２３は、表示領域７１において以降の複数の時点についての天候７２、電力フローサイン７８等を順次に連続表示する。
【００５１】
ユーザが左急変ポイント８２を押下すると、発電量予測結果表示部２１は、対象表示時点９４よりも過去に属する１つ又は複数の「左急変ポイント」を検索する。具体的には、発電量予測結果表示部２１は、まず、電力供給源情報３１のレコードのうち、表示対象時点９４以前についてのレコードの発電電力欄３１ｂを参照し、直前の日時の実績（予測）レコードの発電電力を基準にして所定の閾値以上に発電電力が増加又は減少している実績（予測）レコードを特定する。当該閾値は変化率であってもよいし、変化の実数であってもよい。そして特定した実績（予測）レコードの日時を取得する。このような日時を「左急変ポイント」と呼ぶ。「左急変ポイント」が存在しない場合もあり、「左急変ポイント」が複数存在する場合もある。
【００５２】
発電量予測結果表示部２１は、続いて、これら取得した左急変ポイントを時間軸上に例えば「△」等のマークで表示する（図示せず）。そして、これらの急変ポイントのうち最新の時点に、表示対象時点バー９３及び表示対象時点９４を移動する。これらの処理と同時に、画像解析結果表示部２２は、表示領域６１において、最新の左急変ポイントにおける空画像６１ａを表示する。さらに、電力供給源制御表示部２３は、表示領域７１において、最新の左急変ポイントにおける天候７２、電力フローサイン７８等を表示する。
【００５３】
ユーザが右急変ポイント８６を押下すると、発電量予測結果表示部２１は、対象表示時点９４よりも将来に属する１つ又は複数の「右急変ポイント」を検索する。具体的には、発電量予測結果表示部２１は、まず、電力供給源情報３１のレコードのうち、表示対象時点９４以降についてのレコードの発電電力欄３１ｂを参照し、直前の日時の実績（予測）レコードの発電電力を基準にして所定の閾値以上に発電電力が増加又は減少している実績（予測）レコードを特定する。そして特定した実績（予測）レコードの日時を取得する。このような日時を「右急変ポイント」と呼ぶ。「右急変ポイント」が存在しない場合もあり、「右急変ポイント」が複数存在する場合もある。
【００５４】
発電量予測結果表示部２１は、続いて、これら取得した右急変ポイントを時間軸上に例えば「△」等のマークで表示する（図示せず）。そして、これらの急変ポイントのうち最も前の時点に、表示対象時点バー９３及び表示対象時点９４を移動する。これらの処理と同時に、画像解析結果表示部２２は、表示領域６１において、最も前の右急変ポイントにおける空画像６１ａを表示する。さらに、電力供給源制御表示部２３は、表示領域７１において、最も前の右急変ポイントにおける天候７２、電力フローサイン７８等を表示する。
【００５５】
ユーザがシミュレーションボタン８７を押下すると、「レビューモード」が「シミュレーションモード」に移行する。ユーザがシミュレーションボタン８７を再度押下すると、「シミュレーションモード」が「レビューモード」に移行する。
【００５６】
（処理手順）
図１３に沿って、処理手順を説明する。処理手順開始の前提として、発電量予測結果表示装置１は、発電量予測装置２が作成した電力供給源情報３１（図４）を補助記憶装置１５に既に格納しているものとする。さらに、発電量予測結果表示装置１は、発電量予測装置２が作成した雲画像（予測分のＣＧ画像も含む）も補助記憶装置１５に既に格納しているものとする。
【００５７】
ステップＳ２０１において、発電量予測結果表示部２１は、太陽光発電量予測画面５１（図５）の初期画面を表示する。具体的には、発電量予測結果表示部２１は、出力装置１３に、太陽光発電量予測画面５１を表示する。この段階では、表示領域６１には画像は表示されていない。表示領域７１には、天候７２及び電力フローサイン７８は表示されておらず、充放電サイン７９ａ、７９ｂのいずれも強調表示されていない。表示領域９１には、なにも表示されていない。
【００５８】
ステップＳ２０２において、発電量予測結果表示部２１は、表示期間の選択を受け付ける。具体的には、発電量予測結果表示部２１は、ユーザが、１分間表示ボタン１０２又は８時間表示ボタン１０５のうちのいずれかを押下するのを受け付ける。
【００５９】
ステップＳ２０３において、発電量予測結果表示部２１は、表示すべきグラフの選択を受け付ける。具体的には、発電量予測結果表示部２１は、ユーザが、日射量チェックボックス１１２ａ、太陽光パネル発電電力チェックボックス１１３a及び蓄電池放電電力チェックボックス１１４ａのうちの少なくとも１つのチェックマークを入力するのを受け付ける。
【００６０】
ステップＳ２０４において、発電量予測結果表示部２１は、ユーザがシミュレーションボタン８７を押下したか否かを判断する。具体的には、発電量予測結果表示部２１は、太陽光発電量予測画面５１を表示した後所定の時間が経過するまでの間にユーザがシミュレーションボタン８７を押下するのを受け付けた場合（ステップＳ２０４“ＹＥＳ”）は、ステップＳ２０７に進み、それ以外の場合（ステップＳ２０４“ＮＯ”）は、ステップＳ２０５に進む。なお、“ＹＥＳ”の経路は、シミュレーションモードに、“ＮＯ”の経路は、レビューモードに対応する。
【００６１】
ステップＳ２０５において、発電量予測結果表示部２１は、実績値についてのグラフ９５等を表示する。具体的には、第１に、発電量予測結果表示部２１は、表示領域９１に、左右の目盛及び時間軸の目盛を表示する。発電量予測結果表示部２１は、時間軸の目盛については、電力供給源情報３１（図４）の実績レコードのうち最新の時点を目盛の右端に合わせ、それよりステップＳ２０２において受け付けた表示期間分だけ遡った時点（１分前の時点又は８時間前の時点）を目盛の左端に合わせる。ただし、日射のない夜間の時間帯が所定の比率以上に表示されてしまう場合は、発電量予測結果表示部２１は、直近の１日のうち、正午を中心として前後に４時間の時間帯について表示し直してもよい。
【００６２】
第２に、発電量予測結果表示部２１は、ステップＳ２０３において選択された表示すべきグラフ９５を、実績レコードに基づいて作成し、表示領域９１に表示する。さらに、実績予測区分マーク「＜＜実績＞＞」９２をグラフ９５の近辺に表示する
第３に、発電量予測結果表示部２１は、表示対象時点バー９３及び表示対象時点９４を任意の初期位置（例えば右端と左端の中間点）に表示する。
第４に、発電量予測結果表示部２１は、日射量表示窓１１２ｂ、太陽光パネル発電電力表示窓１１３ｂ及び蓄電池放電電力表示窓１１４ｂのうちの少なくとも１つに、表示対象時点９４におけるそれぞれの値を表示する。
【００６３】
ステップＳ２０６において、発電量予測結果表示部２１等は、実績値についてユーザ操作に対応する処理を行う。具体的には、発電量予測結果表示部２１等は、ユーザ操作に応じて、表示対象時点における雲画像６１ａ、天候７２、電力フローバー７３等を表示する。ここでのユーザ操作とは、例えば、表示領域８１におけるボタン８２〜８６の押下である。これらの操作に応じて、発電量予測結果表示部２１、画像解析結果表示部２２及び電力供給源制御表示部２３は、前記した処理を実行し、前記した情報を表示領域６１、７１及び９１に表示する。なお、ユーザは、マウスのような入力装置１２によって画面上の表示対象時点バー９３を掴み、左右に移動させることによって表示対象時点９４を選択することもできる。この操作に応じて、発電量予測結果表示部２１等は、選択された表示対象時点９４における雲画像６１ａ等を表示する。
その後、発電量予測結果表示部２１は、ユーザが表示を終了する指示を受け付けると、処理手順を終了する。
【００６４】
（レビューモードにおける表示の遷移）
ステップＳ２０５の直後には、例えば図５のような太陽光発電予測画面５１が表示される。ユーザは、８時間表示ボタン１０５を押下し、太陽光パネル発電電力チェックボックス１１３ａにチェックマークを入力している。表示対象時点９４は、「12：00：00」であり、表示領域６１には、当該表示対象時点９４における雲画像６１ａが表示されている（太陽は雲に隠れていない）。表示領域９１には、８時間分の太陽光パネル７４の発電電力のグラフ９５が表示されている。そして、表示領域７１には、太陽光パネル７４が発電した電力が蓄電池７５及び生産拠点７６の双方に流れている状態が表示されている。ここで、ユーザが、１分間表示ボタン１０２を押下したとする。すると、太陽光発電量予測画面５１は、図６の状態に遷移する。図６において、発電量予測結果表示部２１は、グラフ９５の表示を「８時間」から「１分間」に切り替える。つまり、表示対象時点９４をそのままに維持し、その前後それぞれ３０秒間の表示に切り替える。
【００６５】
図５の太陽光発電量予測画面５１において、ユーザが、右急変ポイントボタン８６及び１分間表示ボタン１０２を押下したとする。このとき、太陽光発電量予測画面５１は、図７の状態に遷移する。図７において、発電量予測結果表示部２１は、右急変ポイント（図５の符号９６）に表示対象時点９４を合わせている。表示領域６１には、当該右急変ポイントにおける雲画像６１ａが表示されている（太陽は雲に隠れている）。そして、表示領域７１には、太陽光パネル７４が発電した電力及び蓄電池７５が放電した電力の双方が、生産拠点７６に流れている状態が表示されている。さらに、太陽光パネル７４の発電電力は、図５に比して小さいことが表示されている。
【００６６】
図７の太陽光発電量予測画面５１において、ユーザが、コマ送りボタン８５を４回押下したとする。このとき、太陽光発電量予測画面５１は、図８の状態に遷移する。図８において、表示対象時点バー９３及び表示対象時点９４は、４コマ分（５秒×４コマ＝２０秒分）右に移動している。表示領域６１には、当該表示対象時点９４における雲画像６１ａが表示されている（太陽は雲に隠れていない）。そして、表示領域７１には、太陽光パネル７４が発電した電力が蓄電池７５及び生産拠点７６の双方に流れている状態が表示されている。
【００６７】
ステップＳ２０７において、発電量予測結果表示部２１は、予測値についてのグラフ９５等を表示する。第１に、発電量予測結果表示部２１は、表示領域９１に、左右の目盛及び時間軸の目盛を表示する。発電量予測結果表示部２１は、時間軸の目盛については、電力供給源情報３１（図４）の実績レコードのうち最終の時点を目盛の左端に合わせる。そして、その時点よりステップＳ２０２において受け付けた表示期間分だけ後の時点（１分後の時点又は８時間後の時点）を目盛の右端に合わせる。
【００６８】
第２に、発電量予測結果表示部２１は、ステップＳ２０３において選択された表示すべきグラフ９５を、予測レコードに基づいて作成し、表示領域９１に表示する。さらに、実績予測区分マーク「＜＜実績←・→予測＞＞」９２をグラフ９５の近辺に表示する。
第３に、発電量予測結果表示部２１は、実績予測区別バー９７を、実績レコードと予測レコードの境目の時点（ｔ０）に合わせて表示する。さらに、表示対象時点バー９３及び表示対象時点９４を任意の初期位置（例えば、当該境目の時点より僅かに後の時点）に合わせて表示する。
第４に、発電量予測結果表示部２１は、日射量表示窓１１２ｂ、太陽光パネル発電電力表示窓１１３ｂ及び蓄電池放電電力表示窓１１４ｂのうちの少なくとも１つに、表示対象時点９４におけるそれぞれの値を表示する。
【００６９】
ステップＳ２０８において、発電量予測結果表示部２１等は、予測値についてユーザ操作に対応する処理を行う。具体的には、発電量予測結果表示部２１等は、ユーザ操作に応じて、表示対象時点における雲画像６１ａ、天候７２、電力フローバー７３等を表示する。当該ステップの処理は、ステップＳ２０６の処理と同じである。
その後、発電量予測結果表示部２１は、ユーザが表示を終了する指示を受け付けると、処理手順を終了する。
【００７０】
（シミュレーションモードにおける表示の遷移）
ステップＳ２０７の直後には、例えば図９のような太陽光発電予測画面５１が表示される。ユーザは、１分間表示ボタン１０２を押下し、太陽光パネル発電電力チェックボックス１１３ａ及び蓄電池放電電力チェックボックス１１４ａにチェックマークを入力している。表示対象時点９４は、「Ｔ１」であり、表示領域６１には、当該表示対象時点９４における雲画像６１ａが表示されている（太陽は雲に隠れていない）。表示領域９１には、１分間分の太陽光パネル７４の発電電力のグラフ９５、１分間分の蓄電池７６の放電電力のグラフ９８、グラフ９５及びグラフ９８の和を示すグラフ９９が表示されている。そして、表示領域７１には、太陽光パネル７４が発電した電力が蓄電池７５及び生産拠点７６の双方に流れている状態が表示されている。
【００７１】
図９の太陽光発電量予測画面５１において、ユーザが、右急変ポイントボタン８６を押下したとする。このとき、太陽光発電量予測画面５１は、図１０の状態に遷移する。図１０において、発電量予測結果表示部２１は、右急変ポイント（Ｔ２）に表示対象時点９４を合わせている。表示領域６１には、当該右急変ポイントにおける雲画像６１ａが表示されている（太陽は雲に隠れている）。そして、表示領域７１には、太陽光パネル７４が発電した電力及び蓄電池７５が放電した電力の双方が、生産拠点７６に流れている状態が表示されている。さらに、太陽光パネル７４の発電電力は、図９に比して小さいことが表示されている。
【００７２】
図１０の太陽光発電量予測画面５１において、ユーザが、右急変ポイントボタン８６を再度押下したとする。このとき、太陽光発電量予測画面５１は、図１１の状態に遷移する。図１１において、発電量予測結果表示部２１は、右急変ポイント（Ｔ３）に表示対象時点９４を合わせている。表示領域６１には、当該右急変ポイントにおける雲画像６１ａが表示されている（太陽は雲に隠れていないが、近い将来再び別の雲に隠れそうである）。そして、表示領域７１には、太陽光パネル７４が発電した電力が蓄電池７５及び生産拠点７６の双方に流れている状態が表示されている。
その後、発電量予測結果表示部２１は、ユーザが表示を終了する指示を受け付けると、処理手順を終了する。
【００７３】
（変形例１）
電力供給源制御表示部２３は、太陽光パネル７４の発電電力が近い将来に低下することを検知した場合、ユーザに対して、他の電力供給源の稼動を促すようなメッセージを表示してもよい。具体的には、ステップＳ２０８において、電力供給源制御表示部２３は、表示対象時点９４を基準にして所定の閾値だけ後の時点に達するまでに、太陽光パネル７４の発電電力が急降下し蓄電池７５が放電する状態になることを予測したとする。この場合、電力供給源制御表示部２３は、太陽光発電量予測画面５１に「直ちに蓄電池切替・放電ボタン又はガスタービン発電・ＯＮボタンを押下してください」のようなメッセージを表示する。
【００７４】
（変形例２）
太陽光パネル７４が発生する電力は直流である。そして、蓄電池７５に充電される電力及び蓄電池７５が放電する電力も直流である。一方、電力会社７７及びガスタービン発電機７５ｂが発生する電力は交流であり、生産拠点７６における負荷が受け入れる電力は交流であることが多い。つまり、太陽光パネル７４及び蓄電池７５は、それぞれの直ぐ下流に設置される交直変換装置を介して電力ケーブル（図５等の符号７３に相当）に接続される。したがって、発電制御装置５が、太陽光パネル７４及び蓄電池７５から流れ出る直流電力を交流電力に変換した後の発電電力を取得し、電力供給源情報３１が交流及び直流の両者の値を記憶するようにすることも可能である。このようにすれば、複数の電力供給源の間でより正確に（交直変換時のエネルギーロスも考慮し）発電電力の比較をすることが可能になる。
【００７５】
（実施形態の効果）
本実施形態の発電量予測結果表示装置は以下の効果を奏する。
・ユーザは、ある時点についての太陽光パネルの発電電力、太陽が雲に隠れる画像、太陽光パネル、蓄電池及び負荷間の電力フローの相互関係を同時に視認できる。したがって、太陽光パネル、蓄電池を含む電力供給系全体に対するユーザの理解が深まる。
・ユーザは、過去の実績、将来の予想の両者について相互関係を視認できる。したがって、過去の経験を将来に活かすことができる。
・ユーザは、時間軸に沿って刻々と相互関係が変化して行く様子を視認できる。したがって、天候の変化の早さを実感することができる。
・ユーザは、蓄電池６の放電状態を視認できる。負荷を運転するためには、太陽光パネル４の発電のみに頼ってはならないことを実感することができる。
・ユーザは、太陽光パネル４の発電電力が急変する時点を容易に知ることができる。したがって、蓄電池６又はガスタービン発電機の稼動タイミングを容易に知ることができる。
・ユーザは、蓄電池を稼動すべき時期がまもなく到来することを知らせるメッセージを視認することができる。したがって、蓄電池６又はガスタービン発電機の稼動タイミングを徒過してしまうことを防げる。
【００７６】
なお、本発明は前記した実施例に限定されるものではなく、様々な変形例が含まれる。例えば、前記した実施例は、本発明を分かり易く説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、前記の各構成、機能、処理部、処理手段等は、それらの一部又は全部を、例えば集積回路で設計する等によりハードウエアで実現してもよい。また、前記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
また、制御線や情報線は説明上必要と考えられるものを示しており、製品上必ずしもすべての制御線や情報線を示しているとは限らない。実際には殆どすべての構成が相互に接続されていると考えてもよい。
【符号の説明】
【００７７】
１      発電量予測結果表示装置
２      発電量予測装置
３      画像作成装置
４、７４  太陽光パネル
５、７５  蓄電池
７      電力系統
１１    中央制御装置（制御部）
１２    入力装置
１３    出力装置
１４    主記憶装置（記憶部）
１５    補助記憶装置（記憶部）
２１    発電量予測結果表示部
２２    画像解析結果表示部
２３    電力供給源制御表示装置
３１    電力供給源情報
５１    太陽光発電量予測画面
【図１】
2014131384.tif 000003
【図２】
2014131384.tif 000004
【図３】
2014131384.tif 000005
【図４】
2014131384.tif 000006
【図５】
2014131384.tif 000007
【図６】
2014131384.tif 000008
【図７】
2014131384.tif 000009
【図８】
2014131384.tif 000010
【図９】
2014131384.tif 000011
【図１０】
2014131384.tif 000012
【図１１】
2014131384.tif 000013
【図１２】
2014131384.tif 000014
【図１３】
2014131384.tif 000015
【図１４】
2014131384.tif 000016